(57)【要約】      （修正有）【課題】処理すべき空き缶中に可燃性ガスが残留していても爆発等事故なく確実に安全に圧搾処理可能な装置を提供する。【解決手段】空き缶処理装置は空き缶投入ホッパー１、圧潰プレス機３、プレス後の空き缶搬出口７、送風機９、発動機１０からなりそれぞれその目的を果たす機構となっている。その上残留ガスの分離と発火防止及び外気との遮断のため水を媒体としている。つまり密閉容器４内で圧潰プレス機３のプレス部分が水中にある状態で空き缶をプレスすれば水中のため金属間スパークの発生はなく引火爆発の発生も起こり得ない。残留ガスは一部水に溶解するが大部分は容器内部１９上部に浮上する。又この容器４に連結されている空き缶投入口２０及び空き缶搬出口７に残留ガスが流出しない構造であることは勿論のことである。且つ残留ガスは発動機内燃焼で処理することにより安全であり環境面でも配慮したこと等を特徴としている。【選択図】図１
2004276007.tif 000002
【特許請求の範囲】
【請求項１】
廃棄物として回収した空き缶には引火爆発の可能性がある可燃性ガス残留空き缶も混合しているが、資源リサイクルのためにこれらを分別することなく、製鉄所納品の立方金属塊に加工する前段階として空き缶単体を処理装置にて圧潰プレスをおこなう廃棄空き缶の処理方法において、圧潰プレス時に発生する金属間摩擦のスパークが原因となる可燃性残留ガスの引火爆発を防止するため、空き缶の圧潰プレスを水中で行うことを特徴とする廃棄空き缶の処理方法。
【請求項２】
圧潰プレスを水中で行うことにより水中内で放出された空き缶内の残留ガスを水との比重差で水中より容器内上部に自然浮上させ空中放出させず排出する構造としたことを特徴とする廃棄空き缶の処理方法。
【請求項３】
浮上残留ガスが容器内上部の残留ガス排出口部以外には流出しないよう水を利用して容器内水位調整を行い投入口、搬出口、その他の開口部を塞ぎ外気と遮断する密閉方式構造を特徴とする請求項１ないし２記載の廃棄空き缶の処理方法。
【請求項４】
残留ガスの排出は送風機を介して発動機の吸気口に送気し発動機の吸気として燃焼室で燃料と共に燃焼させる構造としたことを特徴とする請求項１ないし３記載の廃棄空き缶の処理方法。
【発明の詳細な説明】
【０００１】
【発明の属する技術分野】
本発明は廃棄物となった可燃性ガス残留空き缶の圧潰プレスにおいて可燃性ガスが残留していても引火爆発なく安全に資源リサイクル化処理可能な方法に関する。
【０００２】
【従来の技術】
カセットガスコンロ用ガスボンベ、噴射剤として可燃性ガスを使用しているスプレー缶等を廃棄する場合、残留ガスの有無に関わらず孔をあけて廃棄するよう廃棄物担当関係者から指導がなされているが現実に廃棄物処理の段階で引火爆発があることは必ずしも励行されていないのが実状である。
【０００３】
その対応として従来はガスボンベ、スプレー缶等の切断や孔明け装置或いは圧潰装置での電気系統の接点を有する部品を密閉箱内に収容し、その接点で発生するスパークによる引火爆発を防止する空き缶回収機の防爆構造又は残留ガスを不活性ガスで置換し可燃性ガスの爆発範囲外の濃度に維持する方法が採られている。
【０００４】
【発明が解決しようとする課題】
ところが従来の技術はガス抜きの切断や孔明け時にスパークが発生し引火爆発する場合があり又電気系統の接点を密閉方式にした防爆構造は金属間で発生するスパークを押さえるものではなくやはり引火爆発は起こり得る。又残留ガスは空中に放出され回収がなされず安全、環境で問題である。不活性ガスで置換する方法は装置そのものが複雑になり且つ不活性ガスの保管及び装置全体の気密性が必要であり装置の維持管理に高コストを要する。その上バッチ方式のため空き缶の連続投入作業が出来ず量産対応に疑問が生ずる。
【０００５】
本発明は従来の技術を克服し、取扱簡単な装置で如何に廃棄空き缶内に可燃性ガスが残留していても引火爆発せず、且つ残留ガスを安全に処理するため空き缶処理方法を提供する事を目的とする。
【０００６】
【課題を解決するための手段】
上述の目的を達成するために本発明は、空き缶圧潰プレスを水中で行うことを特徴とし、圧潰プレス時における金属間スパークを排除しそれによる引火爆発をなくするものである。勿論残留ガスと電気系統類の接点が接触しない構造であることは言うまでもない。又水中放出した残留ガスは空中に放出されるのではなく容器内で水中を浮上し送風機を介して発動機の吸気として燃焼室で燃料と共に燃焼させその動力は送風機稼働に利用することも特徴である。
【０００７】
本発明では圧潰プレス時に放出される残留ガスが空き缶投入口、プレス後の空き缶排出口、その他の開口部より容器外に流出せぬよう水で開口部を塞ぎ外気と遮断し、容器内上部にのみ浮上するような構造にしている。水で開口部を塞ぐためにはそれぞれの開口部上部先端が容器内水位より高くなるようにし、それぞれの開口部底部は容器内水位以下の所で容器と接続すればサイフォン原理で開口部は水で外気と遮断されることになる。尚空き缶搬出口より圧潰空き缶に付着した水も一緒に排出されるため容器内水位は低下するがこの水位はレベル計によって感知し、自動的に給水を行ない一定水位を自動制御するので連続して作業が可能である。この構造によって圧潰プレス部分は常時水中となりプレス部分乾燥時に発生する金属間スパークは起こり得ず金属間スパークがなければ当然引火爆発は起こり得ない。又残留ガスは発動機内で燃焼して排出されるので安全である。
【０００８】
【発明の実施の形態】
図は本発明の実地態様を示している。この空き缶処理装置はそれぞれの部分はすでに市場に存在し特別新規性のあるものではなく、その機能があれば特別な制約を課すものではない。装置構成の概略は空き缶投入ホッパー（１）、投入用コンベア（２）、圧潰プレス機（３）、プレス後の排出用コンベア（６）、空き缶搬出口（７）、送風機（９）、発動機（１０）からなりそれぞれその目的を果たす機構となっている。特徴としてはそれぞれの部分の配置構成と水を媒体とすることであり、それにより引火爆発防止、残留ガスの分離、外気との遮断、そして残留ガスの排出処理の４点が新規性特異点となる。つまり容器（４）内で回転式又はそれ以外の方式であってもプレス機能を有する圧潰プレス機（３）のプレス部分が水中にある状態で空き缶をプレスすれば水中のため金属間スパークの発生はなく引火爆発の発生も起こり得ない。残留ガスは一部水に溶解するが大部分は容器内部（１９）上部に浮上する。又この容器（４）に連結されている空き缶投入口（２０）及び空き缶搬出口（７）に残留ガスが流出しない構造である。そして残留ガスは発動機（１０）で燃焼させている。
【０００９】
空き缶投入ポッパー（１）より投入された空き缶は空き缶投入口（２０）を通って投入用コンベア（２）上に乗り、圧潰プレス機（３）の中央部に搬入される。尚空き缶内には残留ガス又は空気があるので水中にある空き缶投入口（２０）下部へ自然沈下しないと考えられるのでポッパー上部より押し込む必要が想定される。この時使用のコンベアは掻き上げ機能の付いたものが望ましい。
【００１０】
圧潰プレス機（３）に搬入された空き缶は圧潰され残留ガス又は空気を放出し容器底面（５）に沈下し空き缶排出口（７）底部に設置された排出用コンベア（６）上に乗りプレス缶受箱（８）に搬出される。
【００１１】
圧潰プレス機（３）のプレス部分が常に水中にあるよう水液面（１８）はプレス部分が丁度浸水する位置に設定されている。残留ガス及び空気のある空き缶を圧潰したとき残留ガス及び空気は水中を浮上し、容器内部（１９）上部にと蓄積されていく。又圧潰時に即放出しなかった残留ガス及び空気は容器底面（５）上において水中を浮上し容器内部（１９）上部に蓄積される。同時にこの水液面（１８）は空き缶投入口（２０）及び空き缶排出口（７）と連結しており同水位となるため、容器（４）内の残留ガス及び空気は空き缶投入口（２０）及び空き缶排出口（７）より放出されない。必要に応じて他に開口部を設置する場合でも、常にこの方式の構造とすれば外気と遮断される。
【００１２】
空き缶排出口（７）の入り口に溜まったプレスされた空き缶は排出用コンベア（６）にてプレス缶受箱（８）に搬出されるがこのとき付着した水も一緒に搬出される。そのため容器（４）内に水位を検知するレベル計（１７）を設置し吸水管（１５）に取り付けた電磁弁（１６）に電気信号を送り給水、止水を自動的に行う。このことにより圧潰プレス機（３）のプレス部分は常に浸水している。
【００１３】
容器内部（１９）上部に蓄積した残留ガス及び空気は発動機（１０）の吸気として送風機（９）を介して送り込まれる。発動機（１０）は通常の燃料にて稼働しており残留ガス内蔵の吸気は発動機（１０）内で燃焼する。その燃焼ガスは発動機排気口（１１）より排出される。
【００１４】
送風機（９）の動力は電動機のようなスパークの発生する構造のものは使用できない。よってこの装置は発動機（１０）の回転力を取り付けられた発動機プーリー（１２）からベルト（１３）を介して送風機プーリー（１４）に伝達し送風機（９）を稼働させる。
【００１５】
【発明の効果】
本発明はスパークの発生源となる圧潰プレス機（３）部分を水中で行うため空き缶の可燃性残留ガスが金属間スパークにより引火爆発することはない。又水中浮上した残留ガスは空中に放出されず発動機燃焼により処理されてしまうため安全及び衛生的である。その上廃棄空き缶の残留ガス有・無に関わらずその分別をする必要とせず、資源リサイクルのための圧潰プレス作業が連続して行うことが出来る。場合によっては危険廃棄物として資源リサイクル化されなかったものが廃棄物減量化と資源化を両立させることになる。
【図面の簡単な説明】
【図１】空き缶処理装置の概略構成図
【符号の説明】
▲１▼空き缶投入ホッパー
▲２▼投入用コンベア
▲３▼圧潰プレス機
▲４▼容器
▲５▼容器底面
▲６▼排出用コンベア
▲７▼空き缶搬出口
▲８▼プレス缶受箱
▲９▼送風機
▲１０▼発動機
▲１１▼発動機排気口
▲１２▼発動機プーリー
▲１３▼ベルト
▲１４▼送風機プーリー
▲１５▼給水管
▲１６▼電磁弁
▲１７▼レベル計
▲１８▼水液面
▲１９▼容器内部
▲２０▼空き缶投入口
【図１】
2004276007.tif 000003